(57)【要約】【課題】取扱いが煩雑になることなしに組立て可能であると共に、内部の物品を損傷させることのない収納容器の中仕切りを提供する。【解決手段】収納容器の中仕切り（２０）は、互いに対向する一対の側壁（２２ａ、２２ｂ）と、一対の側壁のそれぞれから延びる一対の側方蓋部（２３ａ、２３ｂ）と、これら一対の側方蓋部を互いに連結する連結部（３０）とを具備する。さらに、互いに対向している前記一対の側壁に、該一対の側壁のそれぞれに対して垂直に連結している一対の端壁（２５ａ、２５ｂ）を具備するのが好ましい。【選択図】図２
2010200650.tif 000002
【特許請求の範囲】
【請求項１】
互いに対向する一対の側壁と、
該一対の側壁のそれぞれから延びる一対の側方蓋部と、
これら一対の側方蓋部を互いに連結する連結部とを具備する、収納容器の中仕切り。
【請求項２】
さらに、互いに対向している前記一対の側壁に、該一対の側壁のそれぞれに対して垂直に連結している一対の端壁を具備する、請求項１に記載の収納容器の中仕切り。
【請求項３】
さらに、前記一対の端壁のそれぞれから延びる一対の端部蓋部を具備し、
前記一対の端部蓋部と前記一対の側方蓋部とが少なくとも部分的に係合することにより前記連結部が形成されている請求項２に記載の収納容器の中仕切り。
【請求項４】
前記端部蓋部のそれぞれに設けられた差込片を前記側方蓋部のそれぞれに形成された切欠に嵌入することによって前記連結部が形成される請求項３に記載の収納容器の中仕切り。
【請求項５】
前記差込片は前記端部蓋部のそれぞれに形成された切込を折曲げることにより作成される請求項４に記載の収納容器の中仕切り。
【請求項６】
前記一対の側方蓋部を合わせることによって、前記側方蓋部の対向するそれぞれの切欠が一つの開口部を形成する請求項４または５に記載の収納容器の中仕切り。
【請求項７】
請求項１から６のいずれか一項に記載の中仕切りにより内部空間が仕切られた収納容器。
【発明の詳細な説明】
【技術分野】
【０００１】
本発明は、収納容器、例えば植物の苗の育成に用いられる育苗ポットを収納する収納容器の中仕切りに関する。
【背景技術】
【０００２】
従来、植物の苗は栽培床などで栽培され、育苗ポットに個別に収納される。そして、特許文献１に開示されるように、出荷時には、これら育苗ポットはシート状素材からなる収納容器に収納されて搬送される。これにより、苗の品質が保持されると共に運搬時に損傷するのを防止することができる。
【０００３】
図５は従来技術における中仕切りの展開図である。図５に示されるように、中仕切り２００の展開状態においては、底部２１０と、一対の側壁２２０ａ、２２０ｂと、一対の蓋部２３０ａ、２３０ｂとが直線状に配置されており、全体で略矩形形状をなしている。中仕切り２００はシート状素材、例えば段ボールから形成される。また、側壁２２０ａ、２２０ｂには複数の通気口Ｂが形成されていると共に、蓋部２３０ａ、２３０ｂには持ち手としての開口部Ａがそれぞれ形成されている。
【０００４】
図６は従来技術における収納容器の分解斜視図である。図６に示されるように、はじめに、苗育ポット（図６には示さない）を保持する複数の保持孔Ｃが形成された第一トレー４１０を中仕切り２００の底部２１０上に配置して、これら保持孔Ｃに複数の苗育ポット挿入する。
【０００５】
次いで、図６から分かるように、中仕切り２００を折曲げて第一トレー４１０を包込む。そして、蓋部２３０ａ、２３０ｂを部分的に重合わせて留め具、例えばテープＴによりこれらを固定する。その後、開口部Ａを把持して中仕切り２００を第一トレー４１０と一緒に収納容器１００に収納する。なお、収納容器１００には複数の通気口が形成されているが、図６にはこれら通気口は図示しない。
【０００６】
図７は従来技術における収納容器の略断面図である。図７に示されるように中仕切り２００の高さは収納容器１００の高さの約半分である。中仕切り２００を収納容器１００に収納した後で、複数の育苗ポットＰが保持された第二トレー４２０を中仕切り２００上に配置する。これにより、図７から分かるように、単一の収納容器１００内に複数のトレー４１０、４２０を配置した状態で、収納容器１００を搬送することができる。
【先行技術文献】
【特許文献】
【０００７】
【特許文献１】特開平９−２９８９４９号公報
【発明の概要】
【発明が解決しようとする課題】
【０００８】
しかしながら、従来技術の手法においては、中仕切り２００の蓋部２３０ａ、２３０ｂをテープＴにて固定しているので、留め具、例えばテープＴを予め準備する必要がある。さらに、収納容器１００の搬送後に収納容器１００内の第一トレー４１０にアクセスするためにはテープＴを剥離して、蓋部２３０ａ、２３０ｂを開放する必要がある。このため、中仕切り２００の取扱いは煩雑であり、留め具、例えばテープＴを使用しないのが望ましい。
【０００９】
さらに、側壁２２０ｂ側から見た断面である図７から分かるように、中仕切り２００の両端部には蓋部２３０ａ、２３０ｂを支持する部材（端壁）が存在していない。このため、第二トレー４２０を中仕切り２００上に配置すると、中仕切り２００の蓋部２３０ａ、２３０ｂが下方に撓む場合がある。そのような場合には、これら蓋部２３０ａ、２３０ｂが中仕切り２００内部の苗に接触してこれらを損傷させる可能性がある。
【００１０】
本発明はこのような事情に鑑みてなされたものであり、取扱いが煩雑になることなしに組立て可能であると共に、内部の物品を損傷させることのない収納容器の中仕切りを提供することを目的とする。
【課題を解決するための手段】
【００１１】
前述した目的を達成するために１番目の発明によれば、互いに対向する一対の側壁と、該一対の側壁のそれぞれから延びる一対の側方蓋部と、これら一対の側方蓋部を互いに連結する連結部とを具備する、収納容器の中仕切りが提供される。
【００１２】
すなわち１番目の発明においては、中仕切りが連結部を備えているので、一対の蓋部を組付けるためにテープなどの留め具を準備する必要がない。従って、取扱いが煩雑になることなしに中仕切りを組立てることができる。また、中仕切りの底部は不要であるので、中仕切りを収納容器から単に持ち上げるのみで、中仕切り内部に配置された物品、例えば育苗ポットにアクセスすることができる。さらに、このことによって、中仕切りの材料費を抑えることも可能である。
【００１３】
２番目の発明によれば、１番目の発明において、さらに、互いに対向している前記一対の側壁に、該一対の側壁のそれぞれに対して垂直に連結している一対の端壁を具備する。
すなわち２番目の発明においては、中仕切りの周囲全体に壁部が存在することになるので、中仕切り上に物品、例えばトレーに保持された育苗ポットを配置した場合であっても、中仕切りが撓むことはない。このため、中仕切り内部に配置された物品が損傷するのを防止できる。
【００１４】
３番目の発明によれば、２番目の発明において、さらに、前記一対の端壁のそれぞれから延びる一対の端部蓋部を具備し、前記一対の端部蓋部と前記一対の側方蓋部とが少なくとも部分的に係合することにより前記連結部が形成されている。
すなわち３番目の発明においては、簡単な構造の連結部を提供することができる。連結部は、端部蓋部に形成された差込片と側方蓋部に形成された開口部との組合せ、または端部蓋部に形成された開口部と側方蓋部に形成された差込片との組合せであってもよい。
【００１５】
４番目の発明によれば、３番目の発明において、前記端部蓋部のそれぞれに設けられた差込片を前記側方蓋部のそれぞれに形成された切欠に嵌入することによって前記連結部が形成される。
５番目の発明によれば、４番目の発明において、前記差込片は前記端部蓋部のそれぞれに形成された切込を折曲げることにより作成される。
６番目の発明によれば、４番目または５番目の発明において、前記一対の側方蓋部を合わせることによって、前記側方蓋部の対向するそれぞれの切欠が一つの開口部を形成する。
【００１６】
７番目の発明によれば、１番目から７番目のいずれかの発明の中仕切りにより内部空間が仕切られた収納容器が提供される。
すなわち７番目の発明においては、中仕切りの内部および中仕切りの上方の両方に物品を配置することができる。
【図面の簡単な説明】
【００１７】
【図１】（ａ）本発明に基づく中仕切りの展開図である。（ｂ）本発明に基づく中仕切りが配置される収納容器の展開図である。
【図２】本発明に基づく中仕切りを備えた収納容器の分解斜視図である。
【図３】（ａ）中仕切りの部分断面図である。（ｂ）中仕切りの他の部分断面図である。
【図４】本発明に基づく中仕切りを備えた収納容器の略断面図である。
【図５】従来技術における中仕切りの展開図である。
【図６】従来技術における収納容器の分解斜視図である。
【図７】従来技術における収納容器の略断面図である。
【発明を実施するための形態】
【００１８】
以下、添付図面を参照して本発明の実施形態を説明する。以下の図面において同様の部材には同様の参照符号が付けられている。理解を容易にするために、これら図面は縮尺を適宜変更している。
図１（ａ）本発明に基づく中仕切りの展開図である。図１（ａ）に示されるように、中仕切り２０は、互いに直線状に連結された側壁２２ａ、端壁２４ａ、側壁２２ｂおよび端壁２４ｂを含んでいる。図１（ａ）においては、これら側壁２２ａ、端壁２４ａ、側壁２２ｂおよび端壁２４ｂのそれぞれには複数の通気口Ｂが形成されている。また、側壁２２ａには糊代２９が連結されている。さらに、側方蓋部２３ａ、端部蓋部２５ａ、側方蓋部２３ｂおよび端部蓋部２５ｂが、それぞれ側壁２２ａ、端壁２４ａ、側壁２２ｂおよび端壁２４ｂの上縁部から延びている。
【００１９】
図１（ａ）に示される実施形態においては、側方蓋部２３ａ、２３ｂの上縁部には二つの切欠３３ａ１、３３ａ２がそれぞれ形成されている。さらに、端部蓋部２５ａ、２５ｂの中央部近傍には、差込片３５ａ、３５ｂをそれぞれ形成するための切込線が形成されている。後述するように、これら切欠３３ａ１、３３ａ２および差込片３５ａ、３５ｂは、側方蓋部２３ａ、２３ｂを互いに連結するための連結部３０を一緒に形成する。
【００２０】
図２は本発明に基づく中仕切りを備えた収納容器の分解斜視図である。図１（ａ）および図２から分かるように、糊代２９を端壁２４ｂの裏面に貼付け、次いでそれぞれの壁部等の間の境界線を折曲げることにより、中仕切り２０が組立てられる。図２に示されるように、中仕切り２０が組立てられると、側壁２２ａ、２２ｂは互いに対向して配置され、端壁２４ａ、２４ｂは側壁２２ａ、２２ｂに対して垂直でかつ互いに対向して配置されるようになる。
【００２１】
なお、図１（ａ）等から分かるように、本発明の中仕切り２０は底部を備えていない所謂無底の箱形である。このように底部を排除した場合には、中仕切り２０の材料費を抑えられることが分かるであろう。なお、中仕切り２０の高さは、後述する収納容器１０の高さの半分よりも小さい。
【００２２】
中仕切り２０が組立てられると、端部蓋部２５ａ、２５ｂは側方蓋部２３ａ、２３ｂの下側にそれぞれ位置するようになる。側方蓋部２３ａの切欠３３ａ１、３３ａ２は側方蓋部２３ｂの切欠３３ａ１、３３ａ２とそれぞれ一体的になって、それぞれが台形型の開口部を形成する。図２から分かるように、一体的にされた切欠３３ａ１、３３ａ２のそれぞれは、側方蓋部２３ａ、２３ｂの上縁部に対して平行な一組の対辺を含む台形型である。図示されるように、これら対辺のうちの外側の辺は内側の辺よりも短い。
【００２３】
図３（ａ）および図３（ｂ）は中仕切りの部分断面図である。これら図面には側方蓋部２３ａおよび端部蓋部２５ｂが示されているが、他の側方蓋部２３ｂおよび端部蓋部２５ａについても同様である。図３（ａ）および図３（ｂ）においては、側方蓋部２３ａの切欠３３ａ１と端部蓋部２５ｂの差込片３５ｂとが連結部３０を形成している。図３（ａ）から分かるように、端部蓋部２５ｂおよび側方蓋部２３ａが順番に折曲げられると、差込片３５ｂの折曲げ線３６ａは切欠３３ａ１の外側の辺に概ね対応した場所に位置決めされる。
【００２４】
次いで、差込片３５ｂを切欠３３ａ１に通して折曲げ線３６ａ（切込）に沿って上方に折曲げる。ここで、図１（ａ）から分かるように、差込片３５ａ、３５ｂのそれぞれは上底が下底よりも長い台形型であり、差込片３５ａ、３５ｂの下底は、切欠３３ａ１、３３ａ２の外側の辺よりもわずかながら短い。従って、折曲げられた差込片３５ｂは切欠３３ａ１に嵌入し、切欠３３ａ１の内壁に接触して保持されるようになる。
【００２５】
このように本発明においては、中仕切り２０自体が連結部３０を含んでいるので、側方蓋部２３ａ、２３ｂを互いに連結するためにテープなどの留め具を準備する必要がない。従って、本発明においては、取扱いが煩雑になることなしに中仕切り２０を組立てることができ、また簡単な構成の連結部３０を提供することが可能となる。さらに、図面には示さないものの、端部蓋部２５ａ、２５ｂに形成された切欠と側方蓋部２３ａ、２３ｂに形成された差込片とから連結部３０を構成してもよい。このような場合であっても本発明の範囲に含まれる。また、差込片３５ａ、３５ｂが切欠３３ａ１、３３ａ２の内壁に接触して保持されるものであれば、切欠３３ａ１、３３ａ２および差込片３５ａ、３５ｂの形状は台形型に限定されない。
【００２６】
ところで、図１（ｂ）は本発明に基づく中仕切りが配置される収納容器の展開図である。図１（ｂ）に示されるように、収納容器１０は互いに直線状に連結された側壁１２ａ、端壁１４ａ、側壁１２ｂおよび端壁１４ｂを含んでいる。図１（ｂ）においては、これら側壁１２ａ、端壁１４ａ、側壁１２ｂおよび端壁１４ｂのそれぞれには複数の通気口Ｂが形成されている。さらに、端壁１４ａ、１４ｂには持ち手としての開口部Ａが形成されている。また、側壁１２ａには糊代１９が連結されている。
【００２７】
さらに、側壁１２ａ、端壁１４ａ、側壁１２ｂおよび端壁１４ｂのそれぞれの上縁部から側方蓋部１３ａ、端部蓋部１５ａ、側方蓋部１３ｂおよび端部蓋部１５ｂが延びており、側壁１２ａ、端壁１４ａ、側壁１２ｂおよび端壁１４ｂのそれぞれの下縁部から側方底部１７ａ、端部底部１７ｃ、側方底部１７ｂおよび端部底部１７ｄが延びている。これら側方底部１７ａ、端部底部１７ｃ、側方底部１７ｂおよび端部底部１７ｄは収納容器１０の底部１７を一緒に形成する。
【００２８】
中仕切り２０および収納容器１０はシート状素材、例えば段ボールから形成されるのが好ましい。これにより、中仕切り２０および収納容器１０の製造費用を抑えつつ使い捨て可能にできる。なお、中仕切り２０の右上部および図１（ｂ）に示される収納容器１０の右上部には段ボールの中芯紙Ｎが示されている。
【００２９】
図２から分かるように、収納容器１０は一般的な箱形部材であり、中仕切り２０を収納するのに適した寸法を有している。収納容器１０は、各壁部等の間の境界線が折曲げられることにより作成される。このことは周知であるので、詳細な説明を省略する。なお、簡潔にする目的で、図２には収納容器１０に形成された開口部Ａおよび通気口Ｂの図示を省略している。
【００３０】
図４は本発明に基づく中仕切りを備えた収納容器の略断面図である。以下、図２および図４等を参照して、複数の育苗ポットＰの収納容器１０への収納について説明する。なお、育苗ポットＰの代わりに、他の物品を収納容器１０内に収納することも可能である。
【００３１】
はじめに、側壁１２ａ、１２ｂおよび端壁１４ａ、１４ｂが収納容器１０の内壁に対面するように、組立前の中仕切り２０を開いた状態で収納容器１０に収納する。次いで、複数の保持孔Ｃが整列して形成された第一トレー４１を準備する。第一トレー４１は例えばプラスチックから形成されており、中仕切り２０の内寸よりもわずかながら小さい。次いで、苗を備えた複数の育苗ポットＰ（図２には示さない）を第一トレー４１の複数の保持孔Ｃに挿入する。
【００３２】
次いで、中仕切り２０の端部蓋部２５ａ、２５ｂおよび側方蓋部２３ａ、２３ｂを順番に折曲げ、連結部３０により側方蓋部２３ａ、２３ｂを連結する。これにより、中仕切り２０は閉鎖され、育苗ポットＰを保持した第一トレー４１は中仕切り２０の内部空間に配置されるようになる。なお、図４から分かるように、中仕切り２０の高さは育苗ポットＰに備えられた苗よりも十分に高いものとする。
【００３３】
その後、図４に示されるように複数の育苗ポットＰが同様に保持された第二トレー４２を中仕切り２０の側方蓋部２３ａ、２３ｂ上に配置する。その結果、一つの収納容器１０内に二つのトレー４１、４２を上下二段に配置できる。それゆえ、本発明においては、多数の育苗ポットＰを一度に搬送することが可能となる。
【００３４】
図２および図４から分かるように、本発明においては側壁２２ａ、端壁２４ａ、側壁２２ｂおよび端壁２４ｂが中仕切り２０の周囲全体に沿って壁部を形成している。このため、複数の育苗ポットＰを保持した第二トレー４２を中仕切り２０上に配置した場合であっても、中仕切り２０が撓むことはなく、従って側方蓋部２３ａおよび端部蓋部２５ａ等が育苗ポットＰの苗に接触することはない。このため、中仕切り２０内部の製品が損傷するのを防止できる。それゆえ、本発明においては簡単な構成で比較的頑丈な中仕切り２０を提供することが可能となる。
【００３５】
そして、収納容器１０が所望の場所まで搬送されると、複数の育苗ポットＰを第二トレー４２と一緒に収納容器１０から取出す。次いで、差込片３５ａ、３５ｂまたは開口部Ａを把持して中仕切り２０を収納容器１０から取出す。前述したように中仕切り２０は底部を備えていないので、単に中仕切り２０を持上げることのみによって、中仕切り２０を収納容器１０から容易に取出すことが可能である。そして、中仕切り２０を取出せば、第一トレー４１の育苗ポットＰに容易にアクセスすることができる。
【００３６】
このように本発明においては、側方蓋部２３ａ、２３ｂを組付けるためにテープなどの特別の留め具が必要とされず、従って、取扱いが煩雑になることなしに中仕切り２０を組立てることができる。なお、開口部Ａ、通気口Ｂが無くてもよく、また中仕切り２０の寸法は前述したものに限定されないことに注意されたい。
【００３７】
典型的な実施形態を用いて本発明を説明したが、当業者であれば、本発明の範囲から逸脱することなしに、前述した変更および種々の他の変更、省略、追加を行うことができるのを理解できるであろう。
【符号の説明】
【００３８】
１０    収納容器
１２ａ、１２ｂ    側壁
１３ａ、１３ｂ    側方蓋部
１４ａ、１４ｂ    端壁
１５ａ、１５ｂ    端部蓋部
１７    底部
１７ａ、１７ｂ    側方底部
１７ｃ、１７ｄ    端部底部
１９    糊代
２０    中仕切り
２２ａ、２２ｂ    側壁
２３ａ、２３ｂ    側方蓋部
２４ａ、２４ｂ    端壁
２５ａ、２５ｂ    端部蓋部
２９    糊代
３０    連結部
３３ａ１、３３ａ２    切欠
３５ａ、３５ｂ    差込片
３６ａ    折曲げ線
４１    第一トレー
４２    第二トレー
Ａ    開口部
Ｂ    通気口
Ｃ    保持孔
Ｐ    育苗ポット
【図１】
2010200650.tif 000003
【図２】
2010200650.tif 000004
【図３】
2010200650.tif 000005
【図４】
2010200650.tif 000006
【図５】
2010200650.tif 000007
【図６】
2010200650.tif 000008
【図７】
2010200650.tif 000009